(57)【特許請求の範囲】
【請求項１】
基材シートの表面に、昇華性物質からなる固形剤を収納した収納ドーム部が複数設けられたＰＴＰ包装体を収容するケースであって、
基材シートを、その裏面側から挟む第１挟持プレートと表面側から挟む第２挟持プレートとが備えられるとともに、これらの両挟持プレートを収納する蓋体が備えられ、
これらの両挟持プレートにおいて、ＰＴＰ包装体を挟み込んだときに、複数の収納ドーム部それぞれの配置位置と対応する部分に各別に貫通孔が形成され、これらの貫通孔のうち第２挟持プレートに形成された貫通孔に、この第２挟持プレートの表面から突出するように収納ドーム部が挿入され、
前記蓋体は、第１挟持プレートとの間に固形剤収納空間を設けた状態で第１挟持プレート側から覆う第１蓋体部と、第２挟持プレートの表面から突出した収納ドーム部との間に隙間を設けた状態で第２挟持プレート側から覆う第２蓋体部とを備え、
両挟持プレートには、固形剤収納空間と前記隙間とを連通させる通気孔が形成されていることを特徴とするケース。
【請求項２】
請求項１記載のケースにおいて、
第２挟持プレートおよび第２蓋体部はそれぞれ、第１挟持プレートおよび第１蓋体部の一端部に設けられた連結部を介して連結され、この連結部回りに回動自在に支持されて第１挟持プレートおよび第１蓋体部に対して開閉可能に設けられ、
第１、第２蓋体部の他端部にはそれぞれ、これらの両蓋体部を閉じたときに互いに係合する係合部が設けられていることを特徴とするケース。
【請求項３】
請求項１または２に記載のケースにおいて、
ＰＴＰ包装体の前記裏面と接触する第１挟持プレートの表面には、このＰＴＰ包装体の外周縁に沿う位置に、両挟持プレートの重ね合せ面に沿った方向におけるＰＴＰ包装体の位置ずれを規制する係止部が形成されていることを特徴とするケース。
【発明の詳細な説明】
【技術分野】
【０００１】
本発明は、基材シートの表面に、昇華性物質からなる固形剤を収納した収納ドーム部が複数設けられたＰＴＰ包装体を収容するケースに関するものである。
【背景技術】
【０００２】
従来、昇華性物質からなる例えば防虫剤や芳香剤等の固形剤は、複数個づつ通気性材料からなる小袋等に封入され、さらにこの小袋等が、密封性材料からなる箱体や袋等に複数封入されて販売されている（例えば下記特許文献１参照）。そして、需要者にあっては、取り出した小袋等を空気中に放置しておくことにより、この小袋等の内部で固形剤を昇華させこの昇華ガスを微細孔から放散させて使用している。
【特許文献１】実用新案登録第２５９７８７８号公報
【発明の開示】
【発明が解決しようとする課題】
【０００３】
ところで、近年では、使用場所や使用時間に縛られず、例えば旅行先等でも気軽に芳香を楽しめるような、持ち歩きに便利な芳香剤容器に対する要望がある。
しかしながら、前述のように固形剤が小袋等に封入されている場合、持ち歩きに不便であり、人目のある場所では使用しづらいといった問題があった。さらに、固形剤が昇華し尽くしたときに、再度、密封性材料からなる箱体等から小袋を取り出すといった手間が必要となる。
【０００４】
本発明は、このような事情を考慮してなされたもので、昇華性物質からなる固形剤を包装するのに、通気性材料からなる小袋等に封入せずに、基材シートの表面に収納ドーム部が複数設けられたプレススルーパック（以下、「ＰＴＰ」という）包装体に収納した固形剤を容易に使用することができるケースを提供することを目的とする。
【課題を解決するための手段】
【０００５】
上記課題を解決して、このような目的を達成するために、本発明のケースは、基材シートの表面に、昇華性物質からなる固形剤を収納した収納ドーム部が複数設けられたＰＴＰ包装体を収容するケースであって、基材シートを、その裏面側から挟む第１挟持プレートと表面側から挟む第２挟持プレートとが備えられるとともに、これらの両挟持プレートを収納する蓋体が備えられ、これらの両挟持プレートにおいて、ＰＴＰ包装体を挟み込んだときに、複数の収納ドーム部それぞれの配置位置と対応する部分に各別に貫通孔が形成され、これらの貫通孔のうち第２挟持プレートに形成された貫通孔に、この第２挟持プレートの表面から突出するように収納ドーム部が挿入され、前記蓋体は、第１挟持プレートとの間に固形剤収納空間を設けた状態で第１挟持プレート側から覆う第１蓋体部と、第２挟持プレートの表面から突出した収納ドーム部との間に隙間を設けた状態で第２挟持プレート側から覆う第２蓋体部とを備え、両挟持プレートには、固形剤収納空間と前記隙間とを連通させる通気孔が形成されていることを特徴とする。
この発明では、第２挟持プレートに形成された貫通孔に、この第２挟持プレートの表面から突出するように収納ドーム部を挿入した状態で、両挟持プレートによりＰＴＰ包装体を挟み込み、この突出した収納ドーム部を第２挟持プレートの表面側から押圧して、基材シートのうちこの収納ドーム部の反対側に位置する部分を破断させ、収納ドーム部内の固形剤を、第１挟持プレートに形成された貫通孔を通過させて固形剤収納空間内に落とし込むことが可能になる。これにより、この固形剤を固形剤収納空間内で昇華させ、この昇華ガスを、通気孔を介して外部に漏れ出させたり、あるいは、第２蓋体部を開いて、昇華ガスを外部に排出することが可能になる。したがって、昇華性物質からなる固形剤が、ＰＴＰ包装体に収納されて販売され、さらに、このＰＴＰ包装体を需要者がケースに収容することにより、ＰＴＰ包装体の詰め替えが容易になるとともに、需要者が固形剤を使用する際に、その準備に手間がかかったり、固形剤が手に触れたりするのを防ぐことができる。また、ＰＴＰ包装体に収納された固形剤を、ケースに収容して使用するので、持ち歩きにも好適であり、人目のある場所でも違和感なく使用することができる。
【０００６】
ここで、第２挟持プレートおよび第２蓋体部はそれぞれ、第１挟持プレートおよび第１蓋体部の一端部に設けられた連結部を介して連結され、この連結部回りに回動自在に支持されて第１挟持プレートおよび第１蓋体部に対して開閉可能に設けられ、第１、第２蓋体部の他端部にはそれぞれ、これらの両蓋体部を閉じたときに互いに係合する係合部が設けられてもよい。
この場合、両挟持プレートおよび両蓋体部を別々に分離させることなくケースを開くことが可能になり、このケースの取り扱い性を向上させることができる。また、両蓋体部に係合部が設けられているので、例えば、このケースが不安定な場所に配置されて倒れたり、さらにその際、他の物体に衝突したりしても、この蓋体が開いて、固形剤収納空間内から固形剤が飛び出すのを防ぐことが可能になる。したがって、例えば、前記固形剤が芳香剤等である場合に、この固形剤が収納されたＰＴＰ包装体を収容したケースを携帯して持ち歩くのにより一層好適となる。
【０００７】
また、ＰＴＰ包装体の前記裏面と接触する第１挟持プレートの表面には、このＰＴＰ包装体の外周縁に沿う位置に、両挟持プレートの重ね合せ面に沿った方向におけるＰＴＰ包装体の位置ずれを規制する係止部が形成されてもよい。
この場合、係止部により、ＰＴＰ包装体が両挟持プレートの重ね合せ面に沿った方向に位置ずれするのを抑制することが可能になり、この包装体が不用意に破れて固形剤の昇華が無駄に開始させられるのを防ぐことができる。
【発明の効果】
【０００８】
この発明に係るケースによれば、昇華性物質からなる固形剤を包装するのに、いわゆるＰＴＰ包装体を採用し、この固形剤を容易に使用することができる。
【発明を実施するための最良の形態】
【０００９】
以下、図面を参照し、この発明の実施の形態について説明する。この実施形態に係るケース１０は、基材シート２１の表面２１ａに、昇華性物質からなる固形剤２２を収納した収納ドーム部２３が複数設けられたＰＴＰ包装体２０を収容するものであって、基材シート２１を、その裏面２１ｂ側から挟む第１挟持プレート１１と表面２１ａ側から挟む第２挟持プレート１２とが備えられるとともに、これらの両挟持プレート１１、１２を収納する蓋体１４が備えられている。
【００１０】
第１、第２挟持プレート１１、１２において、ＰＴＰ包装体２０を挟み込んだときに、複数の収納ドーム部２３それぞれの配置位置と対応する部分に各別に貫通孔１１ａ、１２ａが形成されている。そして、これらの貫通孔１１ａ、１２ａのうち第２挟持プレート１２に形成された貫通孔１２ａに、これらの両挟持プレート１１、１２でＰＴＰ包装体２０を挟み込んだときに、この第２挟持プレート１２の表面から突出するように収納ドーム部２３が挿入されるようになっている。
蓋体１４は、第１挟持プレート１１との間に固形剤収納空間Ａを設けた状態で第１挟持プレート１１側から覆う第１蓋体部１５と、第２挟持プレート１２の表面から突出した収納ドーム部２３との間に隙間を設けた状態で第２挟持プレート１２側から覆う第２蓋体部１６とを備えている。
【００１１】
以上の構成において、第２挟持プレート１２および第２蓋体部１６はそれぞれ、第１挟持プレート１１および第１蓋体部１５の一端部に設けられた図示されない連結部を介して連結され、この連結部回りに回動自在に支持されて第１挟持プレート１１および第１蓋体部１５に対して開閉可能に設けられている。本実施形態では、連結部は、弾性ヒンジまたは蝶番構造とされている。また、第１、第２蓋体部１５、１６の他端部にはそれぞれ、これらの両蓋体部１５、１６を閉じたときに互いに係合する係合部１５ａ、１６ａが設けられている。
【００１２】
なお、ケース１０を構成する前述した各部材１１、１２、１５、１６、１５ａ、１６ａ等は例えば熱可塑性樹脂等により形成されている。また、両挟持プレート１１、１２および両蓋体部１５、１６はそれぞれ、大きさが略同等とされた平面視長方形状とされている。そして、前記連結部は、第１挟持プレート１１および第１蓋体部１５の長手方向における一端部に設けられ、係合部１５ａ、１６ａは、両蓋体部１５、１６の長手方向における他端部に設けられている。
【００１３】
さらに、本実施形態では、両挟持プレート１１、１２において、基材シート２１の表裏面２１ａ、２１ｂと接触する部分を回避した位置に、固形剤収納空間Ａと前記隙間とを連通させる通気孔１８が形成されている。なお、通気孔１８は貫通孔１１ａ、１２ａより小径とされている。
また、ＰＴＰ包装体２０の前記裏面２１ｂと接触する第１挟持プレート１１の表面には、このＰＴＰ包装体２０の外周縁に沿う位置に、両挟持プレート１１、１２の重ね合せ面に沿った方向におけるＰＴＰ包装体２０の位置ずれを規制する係止部１１ｂが形成されている。図示の例では、係止部１１ｂは、その平面視が基材シート２１の裏面２１ｂにおける外周縁に沿った形状の凹み部とされている。
【００１４】
なお、本実施形態では、第１挟持プレート１１の表面において、その幅方向中央部を挟んだ両側に、係止部１１ｂがそれぞれ形成され、各係止部１１ｂに２つのＰＴＰ包装体２０が各別に配置されるようになっている。図示の例では、各ＰＴＰ包装体２０に異なる種類の固形剤２２が収納されている。また、第１挟持プレート１１の表面において、その幅方向中央部に、通気孔１８がこの第１挟持プレート１１の長手方向に間隔をあけて複数形成されている。
【００１５】
さらに、固形剤収納空間Ａは、第１挟持プレート１１の裏面側に、この裏面に沿った方向の全域にわたって拡がる同一の空間とされている。以上より、各ＰＴＰ包装体２０の収納ドーム部２３からそれぞれ、種類の異なる固形剤２２を同時に固形剤収納空間Ａ内に落とし込むことにより、これらの固形剤２２を固形剤収納空間Ａ内で各別に昇華させ、これらの昇華ガスＧを混合させた状態で通気孔１８を介して、外部に排出させることができるようになっている。
【００１６】
以上説明したように本実施形態に係るケース１０によれば、第２挟持プレート１２に形成された貫通孔１２ａに、この第２挟持プレート１２の表面から突出するように収納ドーム部２３を挿入した状態で、両挟持プレート１１、１２によりＰＴＰ包装体２０を挟み込み、この突出した収納ドーム部２３を第２挟持プレート１２の表面側から押圧して、基材シート２１のうちこの収納ドーム部２３の反対側に位置する部分を破断させ、収納ドーム部２３内の固形剤２２を、第１挟持プレート１１に形成された貫通孔１１ａを通過させて固形剤空間Ａ内に落とし込むことが可能になる。
【００１７】
これにより、この固形剤２２を固形剤収納空間Ａ内で昇華させ、この昇華ガスＧを、通気孔１８を介して、外部に排出させることが可能になる。したがって、昇華性物質からなる固形剤２２が、複数の収納ドーム部２３が設けられたＰＴＰ包装体２０に収納されて販売され、さらにこのＰＴＰ包装体２０を需要者がケース１０に収容することにより、ＰＴＰ包装体２０の詰め替えが容易になるとともに、需要者が固形剤２２を使用する際に、その準備に手間がかかったり、固形剤２２が手に触れたりするのを防ぐことができる。また、ＰＴＰ包装体２０に収納された固形剤２２を、ケース１０に収容して使用するので、持ち歩きにも好適であり、人目のある場所でも違和感なく使用することができる。
【００１８】
また、本実施形態では、第２挟持プレート１２および第２蓋体部１６がそれぞれ、第１挟持プレート１１および第１蓋体部１５の一端部に設けられた連結部を介して連結されて開閉可能とされているので、両挟持プレート１１、１２および両蓋体部１５、１６を別々に分離させることなくケース１０を開くことが可能になり、このケース１０の取り扱い性を向上させることができる。
【００１９】
さらに、第１、第２蓋体部１５、１６の他端部にはそれぞれ、これらの両蓋体部１５、１６を閉じたときに互いに係合する係合部１５ａ、１６ａが設けられているので、例えば、このケース１０が不安定な場所に配置されて倒れたり、さらにその際、他の物体に衝突したりしても、この蓋体１４が開いて、固形剤収納空間Ａ内から固形剤２２が飛び出すのを防ぐことが可能になる。したがって、本実施形態のように固形剤２２が芳香剤である場合に、この固形剤２２が収納されたＰＴＰ包装体２０を収容したケース１０を携帯して持ち歩くのにより一層好適となる。
【００２０】
また、ＰＴＰ包装体２０の前記裏面２１ｂと接触する第１挟持プレート１１の表面に係止部１１ｂが形成されているので、ＰＴＰ包装体２０が両挟持プレート１１、１２の重ね合せ面に沿った方向に位置ずれするのを抑制することが可能になり、この包装体２０が不用意に破れて固形剤２２の昇華が無駄に開始させられるのを防ぐことができる。
【００２１】
なお、本発明の技術的範囲は前記実施の形態に限定されるものではなく、本発明の趣旨を逸脱しない範囲において種々の変更を加えることが可能である。
例えば、前記実施形態では、係止部１１ｂとして、その平面視が基材シート２１の裏面２１ｂにおける外周縁に沿った形状の凹み部を示したが、これに代えて、基材シート２１の裏面２１ｂにおける外周縁に沿って、複数の凸部を点在させても、あるいは延在させてもよい。
また、固形剤２２として芳香剤を示したが、例えば防虫剤でもよく、固形剤の種類は特に限定されるものではない。
さらに、ケース１０は携帯用に適用可能である旨記載したが、その用途も特に限られるものではなく、例えば、１箇所に配置した状態で使用する場合にも適用可能である。
さらにまた、ケース１０は、１つのＰＴＰ包装体２０のみを収容できるような構成であってもよい。さらに、前記実施形態では、収納された固形剤２２がそれぞれで異なる２つのＰＴＰ包装体２０を示したが、それぞれで同種類の固形剤２２が収納された２つのＰＴＰ包装体２０を収容してもよい。
また、外部と連通させた状態で両挟持プレート１１、１２を収納する蓋体１４として、両蓋体部１５、１６のうち少なくとも一方において、例えば固形剤収納空間Ａ内の固形剤２２が外部に排出されないような適切な位置に貫通孔を形成するようにしてもよいし、あるいは、両蓋体部１５、１６において、これらを閉じた状態で互いに対向する外周縁部同士の間にシール材等を介在させずに、これらの外周縁部同士の間に隙間が設けられるようにしてもよい。さらにまた、第２蓋体部１６を開くことにより、昇華ガスＧをケース１０の外部に排出するようにしてもよい。
さらに、前記連結部および係合部１５ａ、１６ａをそれぞれ、前記長手方向両端部に形成したが、例えば幅方向両端部に形成するようにしてもよい。
また、第１挟持プレート１１を、第１蓋体部１５に対して前記連結部を介して開閉可能に設けるようにしてもよい。
さらに、前記実施形態では、１つの収納ドーム部２３に１つの固形剤２２を収納したが、１つの収納ドーム部２３に複数の固形剤２２を収納するようにしてもよい。
また、通気孔１８の平面視形状は、円形に限られるものではなく、例えば、長穴、スリット若しくは角形であってもよく、さらに、その個数や形成位置も前記実施形態に限られるものではない。
さらにまた、ＰＴＰ包装体２０の基材シート２１において、通気孔１８の形成位置と対応する位置に貫通孔を形成し、基材シート２１の平面視形状を、両挟持プレート１１、１２の重ね合せ面の形状と略同形状にしてもよい。
【産業上の利用可能性】
【００２２】
昇華性物質からなる固形剤を包装するのに、いわゆるＰＴＰ包装体を採用し、この固形剤を容易に使用することができる。
【図面の簡単な説明】
【００２３】
【図１】本発明に係る一実施形態として示したケース、およびＰＴＰ包装体の斜視図であって、第１挟持プレートおよび第１蓋体部に対して第２挟持プレートおよび第２蓋体部を開いた状態を示すものである。
【図２】図１に示すケースおよびＰＴＰ包装体であって、第１挟持プレートおよび第１蓋体部に対して第２蓋体部を開いて第２挟持プレートを閉じ、両挟持プレートによりＰＴＰ包装体を挟み込んだ状態を示すものである。
【図３】図２に示すＡ−Ａ線矢視断面図である。
【図４】図２に示すＢ−Ｂ線矢視断面図である。
【符号の説明】
【００２４】
１０  ケース
１１  第１挟持プレート
１１ａ、１２ａ  貫通孔
１１ｂ  係止部
１２  第２挟持プレート
１４  蓋体
１５  第１蓋体部
１５ａ、１６ａ  係合部
１６  第２蓋体部
１８  通気孔
２０  ＰＴＰ包装体
２１  基材シート
２１ａ  基材シートの表面
２１ｂ  基材シートの裏面
２２  固形剤
２３  収納ドーム部
Ａ  固形剤収納空間
【図１】
0004708239.tif 000002
【図２】
0004708239.tif 000003
【図３】
0004708239.tif 000004
【図４】
0004708239.tif 000005